(57)【要約】【課題】  構造が簡単で操作性がよく、患者への固定が容易で、かつ、収納した翼付針の針管および刃先が突出するおそれがない翼付針用プロテクターを提供する。【解決手段】  鋭利な刃先を有する針管と、該針管の基端部に固着されたハブと、該ハブに設けられた翼とを有する翼付針を収納しうるプロテクター１であって、筒状の本体２を有してなり、該本体２の側壁に少なくとも１本のスリット３が設けられ、該スリット３の基端部３１は該翼付針の針管を本体２の軸に平行に配置しうるように翼を受け入れる形状を有し、該スリット３の先端部３２が本体２の軸とは平行でない方向に設けられてなる翼付針用プロテクター１。【選択図】      図１
2004298622.tif 000002
【特許請求の範囲】
【請求項１】
鋭利な刃先を有する針管と、該針管の基端部に固着されたハブと、該ハブに設けられた翼とを有する翼付針を収納しうるプロテクターであって、筒状の本体を有してなり、該本体の側壁に少なくとも１本のスリットが設けられ、該スリットの基端部は該翼付針の針管を本体の軸に平行に配置しうるように翼を受け入れる形状を有し、該スリットの先端部が本体の軸とは平行でない方向に設けられてなる翼付針用プロテクター。
【請求項２】
前記スリットは、翼付針の針管を本体の軸に平行に配置しうるように翼を受け入れる形状であって、本体の側壁に該本体の軸と平行な方向に設けられた閉鎖端部をもつスロット部分を有する基端部と、筒状本体の軸と平行なスリットを有する中間部と、針管の刃先を受け入れる形状であって、逆への字形状またはアーチ形状を示すスリットを有する先端部とからなる、請求項１記載の翼付針用プロテクター。
【請求項３】
前記スリットの基端部は、本体の軸に平行に設けられてなる、請求項１〜２のいずれかに記載の翼付針用プロテクター。
【請求項４】
前記スリットの基端部は、前記翼付針がプロテクター内に収納されたときに翼が配置される部分のみを構成する、請求項１〜３のいずれかに記載の翼付針用プロテクター。
【請求項５】
前記スリットの先端部は、翼付針がプロテクター内に収納されたときに針管の刃先が配置される部分のみを構成する請求項１〜４のいずれかに記載の翼付針用プロテクター。
【請求項６】
前記スリットは、さらに翼付針がプロテクター内に収納される位置で翼を位置決めしうる機構を有してなる請求項１〜５に記載の翼付針用プロテクター。
【請求項７】
前記翼の位置決め機構は、翼が配置される部分のみスリットの幅が太く形成されるスロットによるものである、請求項６記載の翼付針用プロテクター。
【請求項８】
前記翼の位置決め機構は、スリットの翼が配置される基端部の先端側に設けられる突起によるものである、請求項６記載の翼付針用プロテクター。
【請求項９】
前記スリットの先端部は、本体の軸に平行でない方向に設けられた、請求項１〜８のいずれかに記載の翼付針用プロテクター。
【請求項１０】
前記スリットは、スリットの向きが変化する部分がゆるいカーブを描くように形成されてなる請求項１〜９のいずれかに記載の翼付針用プロテクター。
【請求項１１】
前記筒状の本体は、基端開口部を有する把持部をその基端部に結合してなる、請求項１〜１０のいずれかに記載の翼付針用プロテクター。
【請求項１２】
前記スリットの最先端は、本体の先端開口部を形成するように本体の軸方向において外側へ向かって広がっている、請求項１〜１１のいずれかに記載の翼付針用プロテクター。
【発明の詳細な説明】
【技術分野】
【０００１】
本発明は翼付針のプロテクターに関し、さらに詳細には使用後の翼付針による針刺し事故を防止するために、プロテクターを翼付針の基端側からスライドさせることにより翼付針の針管および刃先を収納しうるプロテクターに関する。
【背景技術】
【０００２】
従来、翼付針と該翼付針の針管および刃先を収納するためのプロテクターは完全に別体とされており、使用後に該翼付針を刃先からプロテクター内部に挿入して針管および刃先を保護するものであった。したがって、このようなプロテクターを使用することにより、刃先でプロテクターを保持している指を穿刺してしまう、所謂誤穿刺事故が多発しており、医療従事者がエイズや肝炎などに感染するおそれがあった。
【０００３】
そこで、このような誤穿刺事故を防止する目的で、スライド式のプロテクターが多数開発されている。その一例としては、スリットを有するプロテクターを翼付針の基端側に接続されたチューブ上に配置し、該翼付針使用後、該プロテクターを先端側へスライドさせて該翼付針の針管および刃先を該プロテクター内に収納して保護するプロテクターがある（例えば、特許文献１参照。）。
前記プロテクターは側壁に翼付針の翼が挿入されるためのスリットが設けられており、先端側へスライドさせるだけで容易に翼付針の針管および刃先を保護しうるものである。しかし、該スリットはプロテクターの軸に平行に直線状に設けられており、該翼付針は該プロテクターの軸中心に配置されるため、該スリットと該翼付針の針管は平行に配置されることになる。このようにスリットと針管が配置されるプロテクターは、翼付針または該翼付針の基端側に接続されたチューブの動きによっては、プロテクター内に収納された針管および刃先が該スリットから突出するおそれがある。
【０００４】
一方、プロテクターに収納された翼付針の針管および刃先がスリットから突出することを防止しうるプロテクターとして、翼付針収納後にスリットおよび先端開口を閉鎖するロック機構を備えたプロテクター（例えば、特許文献２参照。）や、翼付針のハブがプロテクターの機能を兼ねることでプロテクターに翼挿入用のスリットを設ける必要のない翼付針（例えば、特許文献３参照。）、プロテクターのスリットの基端部をプロテクターの軸とは平行でない方向に設けることによって収納された針管をプロテクターの軸中心から外れた位置に配置しうるプロテクター（例えば、特許文献４参照。）などが提案されている。
【０００５】
しかしながら、前記ロック機構を備えたプロテクターは、スリットから翼付針の針管および刃先が突出することを防止するためのロック機構を設ける必要があるため、構造が複雑で、かつ、成形が容易でない。
また、ハブがプロテクターの機能を兼ねた翼付針は、ハブ自体の形状が大きなものになるため、医療従事者による操作性が悪い上に、翼を用いて患者に固定することが困難である。
一方、針管をプロテクターの軸中心から外れた位置に配置して収納するプロテクターは、翼付針の針管および刃先がスリットから突出するおそれはないが、翼付針または該翼付針の基端側に接続されたチューブの動きにより、該針管の刃先がプロテクター内壁に突き刺さるおそれがあり、場合によっては該刃先が該プロテクターの側壁を貫通して突出するおそれがある。
【０００６】
【特許文献１】特許第２６７３６８２号公報
【特許文献２】特開平６−６３１３７号公報
【特許文献３】特開平７−７５６７１号公報
【特許文献４】米国特許第５７７２６３８号明細書
【発明の開示】
【発明が解決しようとする課題】
【０００７】
上記事情に鑑み、本発明の目的は、構造が簡単で操作性がよく、患者への固定が容易で、かつ、収納した翼付針の針管および刃先が突出するおそれがない翼付針用プロテクターを提供することにある。
【課題を解決するための手段】
【０００８】
本発明者は、種々鋭意検討した結果、側壁に設けられるスリットの基端部が本体の軸に平行に設けられ、かつ、該スリットの先端部が筒状本体の軸に平行でない方向に設けられたプロテクターが上記課題を解決しうるものであることを見出し、本発明に到達した。
【０００９】
すなわち、本発明は、
（１）  鋭利な刃先を有する針管と、該針管の基端部に固着されたハブと、該ハブに設けられた翼とを有する翼付針を収納しうるプロテクターであって、筒状の本体を有してなり、該本体の側壁に少なくとも１本のスリットが設けられ、該スリットの基端部は該翼付針の針管を本体の軸に平行に配置しうるように翼を受け入れる形状を有し、該スリットの先端部が本体の軸とは平行でない方向に設けられてなる翼付針用プロテクター、
（２）  前記スリットは、翼付針の針管を本体の軸に平行に配置しうるように翼を受け入れる形状であって、本体の側壁に該本体の軸と平行な方向に設けられた閉鎖端部をもつスロット部分を有する基端部と、筒状本体の軸と平行なスリットを有する中間部と、針管の刃先を受け入れる形状であって、逆への字形状またはアーチ形状を示すスリットを有する先端部とからなる、（１）記載の翼付針用プロテクター、
（３）  前記スリットの基端部は、本体の軸に平行に設けられてなる（１）または（２）記載の翼付針用プロテクター、
（４）  前記スリットの基端部は、前記翼付針がプロテクター内に収納されたときに翼が配置される部分のみを構成する（１）〜（３）のいずれかに記載の翼付針用プロテクター、
（５）  前記スリットの先端部は、前記翼付針がプロテクター内に収納されたときに針管の刃先が配置される部分のみを構成する（１）〜（４）のいずれか記載の翼付針用プロテクター、
（６）  前記スリットは、さらに翼付針がプロテクター内に収納される位置で翼を位置決めしうる機構を有してなる（１）〜（５）のいずれかに記載の翼付針用プロテクター、
（７）  前記翼の位置決め機構は、翼が配置される部分のみスリットの幅が太く形成されることによるものである（６）記載の翼付針用プロテクター、
（８）  前記翼の位置決め機構は、スリットの翼が配置される基端部の先端側に設けられる突起によるものである（６）記載の翼付針用プロテクター、
（９）  前記スリットの先端部は、本体の軸に平行でない方向に設けられた、（１）〜（８）のいずれかに記載の翼付針用プロテクター、
（１０）  前記スリットは、スリットの向きが変化する部分がゆるいカーブを描くように形成されてなる（１）〜（９）のいずれかに記載の翼付針用プロテクター、
（１１）  前記筒状の本体は、基端開口部を有する把持部をその基端部に結合してなる（１）〜（１０）のいずれかに記載の翼付針用プロテクター、
（１２）  前記スリットの最先端は、本体の先端開口部を形成するように本体の軸方向において外側へ向かって広がっている（１）〜（１１）のいずれかに記載の翼付針用プロテクターに関する。
【発明の効果】
【００１０】
本発明のプロテクターは、本体の軸に平行に設けられた基端部と該軸に平行でない方向に設けられた先端部とからなるスリットを設けたことにより、プロテクター内に収納された翼付針の針管および刃先が該スリットから突出するおそれがない。また、前記プロテクターは該針管および刃先の突出を防止するために特別な機構を設ける必要がないため、構造が簡単で成形が容易に行える。さらに、本発明のプロテクターは、従来の翼付針に取り付けて使用することができるものであり、ハブの構造が大きくなることもないため、操作性がよく、患者への固定も容易に行いうる。
【発明を実施するための最良の形態】
【００１１】
以下に、本発明のプロテクターを添付図面に示す好適な実施例に基づいて詳細に説明するが、本発明はこれらの実施例に限定されるものではない。
図１は本発明の翼付針用プロテクターの一実施例を示す斜視図であり、図２は図１に示されるプロテクターの側面図、図３は図１に示されるプロテクターの翼付針収納時の状態を示す説明図である。図４（ａ）は翼付針をプロテクターに収納する前の状態を示す説明図であり、図４（ｂ）は翼付針をプロテクターに収納した後の状態を示す説明図である。また、図５は本発明の翼付針用プロテクターの他の実施例を示す側面図であり、図６は本発明の翼付針用プロテクターの別の実施例を示す側面図ある。図７は本発明の翼付針用プロテクターのさらに別の実施例を示す側面図ある。
【００１２】
図１および図２に示されるように、本発明のプロテクター１は、筒状の本体２を有してなる。該本体２の先端側の内径は、翼付針のハブおよび針管が挿通可能な大きさを有し、該本体２の基端側の内径は、該翼付針の基端側に接続されるチューブが挿通可能な大きさを有してなる。また、本体２の長さは、通常、翼付針の長さよりも長く、好ましくは約１０〜２０ｍｍ程度長く、厚さは約５〜２０ｍｍ程度である。
【００１３】
前記本体２は、本端２の外径および内径が先端部に向かって減少するテーパー形状であってもよいし（図６参照）、または先端側に向かって径が減少するように、その先端部のみがテーパー状に形成されていてもよい（図１〜５、７参照）。筒状の本体２は、また、その軸方向において先端部に向かってテーパー状であり、好ましくは外側に向かって広がった先端開口部２２を有する。また、把持部４が本体２の基端部３１において結合され、基端開口部２１を有する。
前記本体２は、外力によって若干変形しうる柔軟な材料、たとえばポリプロピレン、ポリスチレン、ポリアセタール、ポリカーボネート、アクリロニトリル−ブタジエン−スチレン共重合体などの熱可塑性樹脂などによって成形されたものである。
【００１４】
前記本体２の側壁には、翼付針の翼を挿通するための少なくとも１つのスリット３、好ましくは、３〜５本のスリット３が設けられている。該スリット３は、基端部３１が該翼付針５の針管５２を本体２の軸に平行に配置しうるように翼５１を受け入れる形状を有してなり、例えば、本体２の軸に平行に設けられてなる（図１〜５参照）。該翼付針５の針管５２および刃先５３がプロテクター１内に収納される際に、該翼付針５の翼５１は該スリット３に先端側から進入し、該基端部３１の軸に平行な部分に配置される（図４（ａ）および（ｂ）参照）。該基端部３１が本体２の軸に平行であるため、プロテクター１内に収納された針管５２もまた本体２の軸に平行に配置される。
【００１５】
前記スリット３は、先端部３２が本体２の軸とは平行でない方向に設けられてなる。該スリット３に先端側から進入した翼５１は、該スリット３の先端部３２と基端部３１の境目、好ましくは中間部３３で進入方向が変化するが、該本体２が柔軟な材料で形成されているため、該スリット３を押し開きながら基端部３１に到達することが可能である。
図３に示されるように、前記プロテクター１内に収納された針管５２は本体２の軸に平行に配置されるため、翼付針５２の刃先５３は該スリット３の先端部３２とは平行に配置されない。したがって、該針管５２の動きにより、該針管５２の刃先５３が該スリット３の先端部３２から突出するおそれはない。
【００１６】
前記スリット３の形状としては、図１〜４に示されるように、本体２の軸に平行でない方向に設けられる先端部３２が、翼付針がプロテクター１内に収納されたときに針管５２の刃先５３が配置される部分のみを構成し、その他の部分が本体２の軸と平行に設けられる基端部３１を構成していてもよい。また、逆に図５に示されるように、本体２の軸に平行に設けられる基端部３１が、翼付針５がプロテクター１内に収納されたときに翼５１が配置される部分のみを構成し、その他の部分が本体２の軸と平行でない方向に設けられる先端部３２を構成していてもよい。スリット３の先端部３２および好ましくは中間部３３は、本体２の軸方向に対して、５〜３０°、好ましくは１０〜２０°の角度で傾斜している（図６参照）。
【００１７】
前記スリット３の軸に平行に設けられる基端部３１の形状は特に限定されないが、針管５２が完全にプロテクター１内に収納される位置で翼５を位置決めしうるような機構が、基端部３１に設けられていることが好ましい。前記翼５の位置決め機構としては、具体的には、図１〜５に示されるように、翼５が配置される部分のみ、スリット３の幅を太くした形状（スロット）や、該翼５が配置されるスリット３の基端部３１の先端側に、翼５が先端側へ戻ることを防止しうるように突起３４が形成されたものがあげられる。
【００１８】
前記スリット３の軸に平行でない方向に設けられる先端部３２の形状は、プロテクター１内に収納された針管５２の刃先５３が突出しない程度に軸に対して角度を有していればよい。したがって、図５に示されるように、軸に対して一定の角度を有する直線状にスリット３が形成されていてもよいし、図１〜４に示されるように、軸に対して一定の角度を有する直線状のスリットが複数個連続して形成されたものであってもよい。また、スリットの向きが変化する部分は、ゆるいカーブを描くようにスリットが形成されていると、翼５の進入に際する抵抗が小さくなって好ましい。１つの具体例としては、先端部３２は逆への字形状またはアーチ形状を示すスリットを有し、針管５２の刃先５３を受け入れる形状を有する。
【００１９】
本発明のスリット３としては、好ましくは翼付針５の針管５２を本体２の軸に平行に配置しうるように翼５１を受け入れる形状であって、本体２の側壁に該本体２の軸と平行な方向に設けられた、閉鎖端部をもつスロット部分を有する基端部３１と、筒状本体２の軸と平行なスリットを有する中間部３３と、針管５２の刃先５３を受け入れる形状であって、逆への字形状またはアーチ形状を示すスリットを有する先端部３２とからなる。
【００２０】
本発明のプロテクター１は、従来の一般的な翼付針５に取り付けて使用することが可能である。従来の翼付針５は、鋭利な刃先５３を有する針管５２と、該針管５２の基端部に固着されたハブ５４と、該ハブ５４に設けられた翼５１とを有している。しかし、本発明では、翼付針５は図示されたものに限定されない。該翼付針５は基端側にチューブ５５が接続されて使用されるが、本発明のプロテクター１は翼付針使用時には、該チューブ５５上に配置される（図４（ａ）参照）。前記プロテクター１は柔軟な材料で成形されているため、チューブ５５を狭持しうる程度に先端部の内径を十分に小さく構成することができる。したがって、翼付針使用時にプロテクター１がチューブ５５上を自由に移動することがなく、常に翼付針５を収納しやすい位置に配置させておくことができる。
【００２１】
本発明のプロテクター１は翼付針使用後には、翼付針５に向かって先端側へスライドさせることにより、該翼付針５の翼５１がプロテクター１のスリット３の先端側から基端側に向かって進入し、翼付針５の針管５２および刃先５３をプロテクター１内に収納する（図４（ｂ）参照）。該プロテクター１内に収納された針管５２は、本体２の軸と平行に配置されるため、軸と平行でない方向に設けられたスリット３の先端部３２とは平行に配置されない。したがって、該針管５２の刃先５３がプロテクター１のスリット３から突出するおそれがない。
【図面の簡単な説明】
【００２２】
【図１】本発明の翼付針用プロテクターの一実施例を示す斜視図である。
【図２】図１に示されるプロテクターの側面図である。
【図３】図１に示されるプロテクターの翼付針収納時の状態を示す説明図である。
【図４】図１に示されるプロテクターの翼付針収納前の状態（ａ）および収納後の状態（ｂ）を示す説明図である。
【図５】本発明の翼付針用プロテクターの他の実施例を示す側面図である。
【図６】本発明の翼付針用プロテクターの別の実施例を示す側面図である。
【図７】本発明の翼付針用プロテクターのさらに別の実施例を示す側面図である。
【符号の説明】
【００２３】
１  プロテクター
２  本体
３  スリット
３１  基端部
３２  先端部
３３  中間部
３４  突起
４  把持部
５  翼付針
５１  翼
５２  針管
５３  刃先
５４  ハブ
５５  チューブ
【図１】
2004298622.tif 000003
【図２】
2004298622.tif 000004
【図３】
2004298622.tif 000005
【図４】
2004298622.tif 000006
【図５】
2004298622.tif 000007
【図６】
2004298622.tif 000008
【図７】
2004298622.tif 000009